(57)【要約】【課題】室や洗面所等のサニタリー用として装備されて、実使用上で便利な石鹸補給具を、構造簡単で廉価なものとして提供する。【解決手段】石鹸Ｓを収容保持する保持部９，１０と、この保持部９，１０に収容されている石鹸Ｓを外部に排出可能な排出口１２と、保持部９，１０に石鹸を供給するための供給口ｋと、上下の保持部９，１０の間、及び下保持部１０と排出口１２の間とに介装される絞り部１１とを有した浴室用石鹸補給具Ａで、絞り部１１は、保持部１０に収容されている石鹸Ｓの重さ以下の押圧力が作用する自由状態では石鹸Ｓの滑落移動を阻止し、かつ、石鹸Ｓの重さを超える所定の押圧力が作用する状態では石鹸Ｓの通過が許容されるように膨縮変形するゴム筒に形成する。【選択図】図１  
2005168754.tif 000002
【特許請求の範囲】
【請求項１】
石鹸を収容して保持する保持部と、この保持部に収容されている石鹸を外部に排出可能な排出口と、前記保持部に石鹸を収容させるための供給口と、前記保持部と前記排出口との間に介装される絞り部とを有し、
前記絞り部は、前記保持部に収容されている石鹸を排出する際に、膨縮変形する弾性材製で略筒状に形成されているサニタリー用石鹸補給具。
【請求項２】
請求項１において、
前記保持部は、これに保持されている石鹸を覆う形状の防水材料で形成されているサニタリー用石鹸補給具。
【請求項３】
請求項１又は２において、
浴室内の所定箇所に吊下げ可能なフック部が装備されているサニタリー用石鹸補給具。
【請求項４】
請求項１〜３のいずれかにおいて、
前記供給口は、前記保持部に形成された石鹸供給用の開口部と、この開口部を開閉自在な開閉蓋とで構成されているサニタリー用石鹸補給具。
【請求項５】
請求項１〜４のいずれかにおいて、
前記排出口の下方には、この排出口から排出された石鹸を受止めて保持可能な受止め部材が付設されているサニタリー用石鹸補給具。
【請求項６】
請求項１〜５のいずれかにおいて、
前記保持部と前記排出口とは、ゴム材製の筒状部材によって一体形成されているサニタリー用石鹸補給具。
【請求項７】
請求項１，２，６のいずれかにおいて、
前記供給口と前記排出口とは、双方ともに石鹸の通過が可能な開放端を有した前記絞り部から成る互いに同一のものに形成され、全体として対称形状に形成されているサニタリー用石鹸補給具。
【請求項８】
請求項１，２，３，６のいずれかにおいて、
前記排出口は、石鹸の通過が可能な開放端を有した前記絞り部から形成されるとともに、この排出口が前記供給口を兼ねているサニタリー用石鹸補給具。
【発明の詳細な説明】
【技術分野】
【０００１】
本発明は、浴室、洗面所、トイレ等のサニタリー用石鹸補給具に関するものである。
【背景技術】
【０００２】
例えば、入浴中に石鹸（固形石鹸）が無くなったとか、浴室に入ってから石鹸が無くなっていることに気付くということがある。このような場合には、浴室の戸を開いて家族等の別人を呼び、予備の石鹸を浴室まで持って来てもらうか、或いは、一旦浴室から出て、入浴者自らが洗面所や納戸等の浴室とは別の場所に置いてある石鹸を取りに行き、それから浴室に戻るということになる。
【０００３】
入浴者が浴室外に石鹸を取りに行く場合には、石鹸の置いてある場所までの床を濡らしてしまうことがあるとともに、冬季等では寒さに身震いしながら取りに行かねばならない。このように、入浴中の石鹸補給は面倒で煩わしいものであるため、予備に補給用の石鹸を浴室に装備しておくことが望ましく、また、浴室に限らず、洗面所等においても、石鹸が無くなった際には、次の補給用石鹸が直ちに使えるようにしておけば便利である。
【０００４】
そこで、予備の石鹸を収容しておくことができる石鹸補給具を、予め浴室内に設けておくことにより、石鹸が無くなった等の補給の必要が生じた際には、浴室内に居たままで、即座に石鹸を補給できるようにすることが考えられた。このようなものとしては、特許文献１において開示された石鹸収容器具が知られている。
【０００５】
即ち、その石鹸収容器具は、浴室の側壁に吸着させる吸盤を有した収容基体と、これに対してスライド昇降可能な略箱状の昇降部材と、石鹸を出口に滑落誘導するためのガイド板等から成るプラスチック製の箱体のようなものであり、昇降部材と収容基体とで形成される空間に収容された石鹸は、昇降部材を上方へスライド移動させることで、その昇降部材の下部に形成された排出口から石鹸を取出すことができる、というものであった。
【特許文献１】特開平１０−２３４６０９号公報
【発明の開示】
【発明が解決しようとする課題】
【０００６】
しかしながら、前記特許文献１に開示された石鹸収容器具は、複数の構成部品から成るとともに、スライドによって石鹸を排出させるための比較的複雑なスライド機構も装備されているので、単価の安い石鹸を収容し、しかも使用頻度もかなり低いものである割には、構造が複雑で、かつ、コストも高く付く点で改善の余地がある。
【０００７】
そこで、本発明は、浴室や洗面所等のサニタリー用として装備されて、実使用上で便利な石鹸補給具を、構造簡単で廉価なものとして提供することを目的とする。
【課題を解決するための手段】
【０００８】
請求項１の構成は、サニタリー用石鹸補給具において、
石鹸を収容して保持する保持部と、この保持部に収容されている石鹸を外部に排出可能な排出口と、前記保持部に石鹸を供給するための供給口と、前記保持部と前記排出口との間に介装される絞り部とを有し、
前記絞り部は、前記保持部に収容されている石鹸を排出する際に、膨縮変形する弾性材製で略筒状のものに形成されていることを特徴とする。
【０００９】
請求項２の構成は、請求項１において、
前記保持部は、これに保持されている石鹸を覆う形状の防水材料で形成されていることを特徴とする。
【００１０】
請求項３の構成は、請求項１又は２において、
浴室内の所定箇所に吊下げ可能なフック部が装備されていることを特徴とする。
【００１１】
請求項４の構成は、請求項１〜３のいずれかにおいて、
前記供給口は、前記保持部に形成された石鹸供給用の開口部と、この開口部を開閉自在な開閉蓋とで構成されていることを特徴とする。
【００１２】
請求項５の構成は、請求項１〜４のいずれかにおいて、
前記排出口の下方には、この排出口から排出された石鹸を受止めて保持可能な受止め部材が付設されていることを特徴とする。
【００１３】
請求項６の構成は、請求項１〜５のいずれかにおいて、
前記保持部と前記排出口とは、ゴム材製の筒状部材によって一体形成されていることを特徴とする。
【００１４】
請求項７の構成は、請求項１，２，６のいずれかにおいて、
前記供給口と前記排出口とは、双方ともに石鹸の通過が可能な開放端を有した前記絞り部から成る互いに同一のものに形成され、全体として対称形状に形成されていることを特徴とする。
【００１５】
請求項８の構成は、請求項１，２，３，６のいずれかにおいて、
前記排出口は、石鹸の通過が可能な開放端を有した前記絞り部から形成されるとともに、この排出口が前記供給口を兼ねていることを特徴とする。
【発明の効果】
【００１６】
請求項１の構成においては、保持部に収容されている石鹸は、絞り部の存在によって排出口には滑落移動し得ないので、通常は保持部に石鹸を収容保持し続けることができる。そして、石鹸を取出す際には、絞り部を膨張変形させて通過させることができるので、石鹸を排出口から外部に取り出すことができる。つまり、石鹸に作用する外力の有無による絞り部の膨張縮小によって収容保持状態と取り出し状態とが切り換るものであるから、例えば、石鹸の外周長さよりも小さい内周長さを有したゴムチューブといった具合の、簡単で廉価な絞り部で済み、従来技術のように、石鹸の出口を開閉するためのスライド構造といった複雑な機構類を設ける必要が無い。
【００１７】
その結果、予備の石鹸を必要な箇所に常備させておくことができて、浴室や洗面所等においての実使用上で便利なサニタリー用石鹸補給具を、主に絞り部の構造工夫により、構造簡単で廉価なものとして提供することができる。
【００１８】
請求項２の構成においては、保持部を、これに保持されている石鹸を覆う形状の防水材料で形成してあるから、浴槽の横や、洗面台の横といった湯水の降り掛かり易い箇所に石鹸補給具を設置しても、それら湯水が保持部に及んで補給用の石鹸を溶かしてしまう不都合が生じないようにすることができる。従って、請求項２のサニタリー用石鹸補給具では、保持部に供給されたときの補給用石鹸の状態を、実際に使用されるときまで維持することができ、信頼性に優れるという利点がある。
【００１９】
請求項３の構成においては、浴室内の所定箇所に吊下げ可能なフック部が装備されており、サニタリー用石鹸補給具を簡単便利に吊下げて設置することができる。
【００２０】
請求項４の構成においては、石鹸を外部から保持部に供給するための供給口を、保持部に形成された石鹸供給用の開口部と、この開口部を開閉自在な開閉蓋とで構成したので、単に石鹸投入用の開口が形成されている場合に比べて、蓋によって湯水の浸入を防止することができ、浴室用等の湯水の及び易い環境下にも好適なサニタリー用石鹸補給具が提供できる。
【００２１】
請求項５の構成においては、排出口の下方に、この排出口から排出された石鹸を受止めて保持可能な受止め部材を付設したので、受け止め部材は、排出口から排出された補給用の石鹸を使用自在な状態で保持するホルダーとなり、便利に補給用石鹸を使用できるようになる。また、その受け止め部材を、通常の石鹸ホルダーとして使用することもできるので、専用の石鹸ホルダーが不要になる利点もある。
【００２２】
請求項６の構成においては、保持部と排出口とを、ゴム材製の筒状部材によって一体形成したので、部品点数が削減され、構造の簡素化並びにコストダウンをさらに促進させることが可能になる。また、一体化によって湯水が保持部内に浸入するおそれがさらに少なくなり、防水性がより向上する利点もある。
【００２３】
請求項７の構成においては、供給口と排出口とは、双方ともに石鹸の通過が可能な開放端を有した絞り部から成る互いに同一のものに形成され、全体として対称形状に形成されているので、上下反対にして吊下げる等の設置間違いが生じないようになるとともに、サニタリー用石鹸補給具の製造時においては、反対側に加工するといったミスが発生せず、生産効率の向上が可能になる。
【００２４】
請求項８の構成においては、石鹸を外部に取り出すための排出口が、石鹸を保持部に取り入れつための供給口を兼ねているので、サニタリー用石鹸補給具を、より構造簡単なものにすることが可能であるとともに、上部に開口を設けないようにして、湯水の浸入防止機能をさらに高めることも可能である。
【発明を実施するための最良の形態】
【００２５】
本発明によるサニタリー用石鹸補給具として、浴室内において吊下げて使用する形態のものとして、図面に基づいて説明する。以下において、図１は実施例１による石鹸補給具の正面図と側面図、図２は保持部の断面図、図３は排出からの石鹸の排出状態を示す作用図である。そして、図４〜図７は、実施例２〜５の石鹸補給具を夫々示している。
【実施例１】
【００２６】
実施例１による浴室用石鹸補給具Ａは、図１（ａ）、（ｂ）に示すように、複数（２個）の固形石鹸を収容自在な収容本体（筒状部材の一例）１と、この収容本体１の上端に形成された開口部１ａを開閉自在な蓋体２と、収容本体１から延設されたフック部３とから構成されている。フック部３は、後述する本体枠４と一体形成されたプラスチック製のものであり、浴室の側壁に設けられたステ―等に引掛け自在な形状としてある。
【００２７】
収容本体１は、上端に位置するプラスチック製の本体枠４と、上端部がその本体枠４の下部に形成された段差部４ａに外嵌被着されるゴム製の筒状体５とから構成されている。本体枠４は、平面視形状が石鹸Ｓの断面形状に似た形状の筒部分４Ａと、この筒部分４Ａの外周部から延設されるフック部３とを有するとともに、蓋体２を開閉揺動自在に支持するための支軸６及びステー７を設けて構成されている。尚、８は、筒部分４Ａとフック部３との分岐部を補強するリブである。
【００２８】
本体枠４上端の開口部１ａは、保持部９，１０に石鹸Ｓを供給するためのものであり、その保持部９に形成された石鹸供給用の開口部１ａと、この開口部１ａを開閉自在な開閉蓋とで供給口ｋが構成されている。
【００２９】
筒状体５は、図１、図２に示すように、石鹸Ｓを収容して保持する上下二箇所の保持部９，１０と、これら保持部９，１０に収容されている石鹸Ｓを外部に排出可能な排出口１２と、上側の保持部９と下側の保持部１０との間、及び下側の保持部１０と排出口１２との間に介装される計二箇所の絞り部１１とを有して構成されており、これらの各部９〜１２は、筒状の成形ゴムによって一体化された単一の部品として形成されている。
【００３０】
絞り部１１は、保持部９，１０に収容されている石鹸Ｓの重さ以下の押圧力が作用する状態ではゴムが殆ど伸び変形せず、石鹸Ｓの滑落移動を阻止するが、石鹸Ｓの重さを超える所定の押圧力が作用する状態ではゴムが伸び変形して、石鹸Ｓの通過が許容されるように膨縮変形するよう、その形状、寸法、或いは厚み等の諸元が設定されている。尚、上側の保持部９は、その上端部は筒部分４Ａに接着剤を伴って強固に外嵌接着されており、この繋ぎ部分からの水の浸入も阻止している。
【００３１】
つまり、下側の保持部１０に収容されている石鹸Ｓを排出するには、上側の絞り部１１を手指で強く握り締めることで、下側の保持部１０内の石鹸Ｓに下方への押圧力を作用させ、それによって下側の絞り部１１を強制的に拡径変位させ、その部分の弾性締付力に抗して石鹸Ｓを下方移動させる。それから、図３に示すように、下側の保持部１０を握り締めるようにすることで、石鹸Ｓを押出して下側の絞り部１１内を通過させ、下端の排出口１２から取出すことができる。
【００３２】
そして、フック３を用いての通常の吊下げ状態では、石鹸Ｓの重み程度では、絞り部１１は拡径変位できず、従って、石鹸Ｓは各保持部９，１０に保持される状態が維持される。尚、排出口１２の下端縁を、ゴム材の厚みを増した強化縁１２ａに形成すれば、石鹸Ｓを取出すべく膨張変形（拡径変位）させた際の破れが生じ難くなり、耐久性を改善することが可能である。
【００３３】
石鹸Ｓを保持部９，１０に補給するには、開閉蓋２を支軸６回りに揺動させて開き、開口部１ａから石鹸Ｓを投入する。保持部９，１０に石鹸が供給されると、開いている開閉蓋２を下降揺動し、開口部１ａに蓋する。尚、上側の保持部９に収容保持されている石鹸Ｓを下側の保持部１０に移動させる操作は、前述した下側の保持部１０から石鹸Ｓを排出させる場合とは異なり、開閉蓋２を開いた状態で、開口部１ａから手指を挿入して直接石鹸Ｓを下方に押し込み操作すると良い。
【００３４】
従って、入浴中において石鹸が無くなった場合には、前述の排出操作を行い、下側の保持部１０に収容保持されている石鹸を取出すことができる。また、上側の保持部９にのみ石鹸が収容保持されている場合には、先ず、下側の保持部１０に石鹸Ｓを移動させ、それから排出口１２から石鹸Ｓを排出させれば良い。
【００３５】
以上説明したように、実施例１による浴室用石鹸補給具Ａは、弾性材による絞り部１１を有する工夫によって、プラスチック製の本体枠４及び開閉蓋２と、ゴム製の筒状体５との３部品という少ない部品で構成されており、構造簡単で廉価でありながら必要にして十分な石鹸補給機能を持つ経済的で優れたものとなっている。しかも、排出口１２は開口しているが、プラスチック（合成樹脂）とゴムとからなる防水材料から成る収容本体１と、これに対する開閉蓋２とにより、保持部９、１０の石鹸Ｓは防水状態に覆われているので、水や湯が降り掛かっても保持部９，１０にはそれら水や湯等が入り込まず、石鹸Ｓが無駄に溶けて流れてしまう不都合が生じないという利点も有している。
【００３６】
尚、図１（ａ）において仮想線で示すように、排出口１２の真下の位置に、複数本の紐状態１３を用いて筒状体５から（下側の保持部１０から）吊下げられる受止め部材１４を付設すれば（つまり、排出口１２の下方には、この排出口１２から排出された石鹸Ｓを受止めて保持可能な受止め部材１４が装備されている）、排出口１２から取出された補給用の石鹸Ｓのホルダー（置き台）として使えたり、或いは、通常の石鹸ホルダーとして使用できたりして便利である。
【実施例２】
【００３７】
実施例２による石鹸補給具Ａは、図４に示すように、ゴム等の弾性材製で単一部品である収容本体２１と、吊下げフック部２２とから成るさらに廉価なものである。収容本体２１は、その両端部と中央部との三箇所の絞り部１１、上下二箇所の保持部９，１０、並びに両端の入出部２３とを有して、上下対称形状のものに形成されている。つまり、供給口と排出口とは、双方ともに石鹸Ｓの通過が可能な開放端を有した絞り部１１から成る互いに同一のものに形成され、全体として対称形状に形成されている。
【００３８】
入出部２３は、外部から石鹸Ｓを保持部９，１０に供給する入口（供給口ｋ）であり、かつ、保持部９，１０に収容保持されている石鹸Ｓを外部に取出す出口（排出口）でもあり、入口と出口とを兼用する構成としてある。そして、それら各入出部２３には、吊下げフック部２２を通して引掛けるための挿通孔２４が形成されている。尚、図４においては、各挿通孔２４は互いに向きを異ならせてある。故に、吊下げフック部２２は、いずれの入出部２３にも装備することができ、上下の組み間違いが生じないという便利さがある。これは製造上においても、管理工程を省略できて好都合である。
【００３９】
この実施例２の石鹸補給具Ａでは、入出部２３には小さな開口部が常時開いているので、湯水が保持部９，１０に収容保持されている石鹸Ｓに及ぶ可能性は若干残る。故に、浴室内の比較的高い箇所に設置するのが、石鹸Ｓの防水上で好ましい。但し、両端の絞り部１１を、自由状態では殆ど開口しない程度にきつく絞った状態に形成しておけば、石鹸Ｓの通過には多少力を要するものの、防水性は大きく改善することができる。
【実施例３】
【００４０】
実施例３による石鹸補給具Ａは、実施例２のものと同じく２部品で構成されたより廉価なものである。即ち、一端のみが開口されたゴム製で袋状の収容本体３１と、この収容本体３１の上端に形成された貫通孔３１ａに挿通されたフック部３２とから構成されている。収容本体３１は、上下二箇所の保持部９，１０と、上下二箇所の絞り部１１と、下端の入出部３３とを有しており、上側の保持部９の上端部は閉塞された形状となっている。つまり、下端の入出部（排出口）３３は、石鹸Ｓの通過が可能な開放端を有した絞り部１１から形成されるとともに、この下端の入出部（排出口）３３が供給口Ｋを兼ねている
【００４１】
その閉塞部には大きめの貫通孔３１ａが形成され、大径部３２ａによって抜止めされるフック３２の根元部分を余裕を持たせて挿通させてある。この貫通孔３１ａは、石鹸Ｓを入出部３３から保持部１０に供給する際に、保持部９，１０内の空気を外部に出す（又は石鹸Ｓを排出する際に外部から空気を取り入れる）通気孔として機能し、それによって不具合なく石鹸Ｓの出し入れが行えるようになっている。つまり、貫通孔３１ａは、フック部３２の挿通機能と通気機能との双方を備えている。
【実施例４】
【００４２】
実施例４による石鹸補給具Ａは、図６に示すように、断面の大きさが一定の円筒形状の収容本体４１と、この収容本体４１の下端部に外嵌固着されるゴム製で略漏斗状の出口部材４２と、収容本体４１の上端に着脱自在に装備される蓋４３と、収容本体４１の上部に取付けられた取付けフック部４４とから構成されている。収容本体４１は、ゴム等の弾性材から形成された、所謂「寸胴型」のものであり複数（三個）の石鹸Ｓを縦に重ねて収容できる長さを有した保持部９として機能する。この保持部９は、これに保持されている石鹸Ｓを覆う形状の防水材料で形成されている。
【００４３】
収容本体４１の下端部に外嵌固着される出口部材４２は、石鹸Ｓの排出口４５と、絞り部１１とを有して形成されている。絞り部１１は、収容本体４１に収容されている三個の石鹸Ｓの合計重さ以下の押圧力が作用する状態ではそれら石鹸Ｓの滑落移動を阻止し、かつ、三個の石鹸Ｓの合計重さを超える所定の押圧力が作用する状態では、それら石鹸Ｓの通過が許容されるように膨縮変形する状態に設定されている。
【００４４】
従って、自由状態（単に取付けフック部４４で吊設されている状態）では、ゴム製の出口部材４２は拡がり変位せず、三個の石鹸Ｓは収容本体４１に収容保持され続ける。石鹸Ｓを外部に取出すには、収容本体４１における、下端の石鹸Ｓとその上の石鹸Ｓとの間の部分を手指で強く握り操作し、下端の石鹸Ｓを絞り部１１、即ち出口部材４２を強制的に拡がり変位させながら押出せば良い。
【００４５】
尚、収容本体４１を、基本的にはゴム等の弾性材で形成し、上端部のみをプラスチック等の弾性変位しない材料から成る二部品から構成された構造（実施例１による場合の収容本体１を参照）としても良い。
【実施例５】
【００４６】
実施例５による石鹸補給具Ａは、図７に示すように、石鹸を収容保持する上下の保持部９，１０と、上下の絞り部１１と、石鹸の排出口１２と、石鹸Ｓの供給口１ａとを有した収容本体５１と、開閉蓋５２とで構成されている。上下の保持部９，１０はプラスチック製であり、絞り部１１及び排出口１２はゴム製である。
【００４７】
このように、手指による握り締め操作によって石鹸Ｓを押出し移動するには、少なくとも絞り部１１の部分を弾性材から構成すれば良い。
【００４８】
［別実施例］
本発明による石鹸補給具Ａは、浴室用に限らず、洗面所やトイレ、台所等のサニタリー用として使用可能である。また、浴室以外や浴室内であってもその上部などの、さほど防水の必要性が無い場合には、保持部９，１０や絞り部１１等を、内外を遮断する形状以外のもの、例えば網目状のもので構成することが可能であり、筒状のものには限定されない。各石鹸補給具Ａにおいては、石鹸の収容個数は１個或いは４個以上でも良く、その数は限定されない。さらに、浴室上部の物置棚といった箇所に横倒し状態で置いて使用される場合には、各種のフック３，２２，３２，４４を省略することが可能である。
【００４９】
収容本体１や絞り部１１の材質は、要するに、自由状態では石鹸Ｓを通過させず、所定の押出し力が作用すると膨張して拡がり、通過すると縮小して元に戻る性質を持った材料であれば良く、ビニール等の粘弾性材料でも良い。また、防水材料は、ゴムの他、種々の合成樹脂等でも良い。
【図面の簡単な説明】
【００５０】
【図１】浴室用の石鹸補給具を示し、（ａ）は正面図、（ｂ）は側面図（実施例１）
【図２】図１の石鹸補給具における保持部の断面図
【図３】排出口からの補給用石鹸の排出状態を示す作用図
【図４】実施例２による石鹸補給具の正面図
【図５】実施例３による石鹸補給具の正面図
【図６】実施例４による石鹸補給具の正面図
【図７】実施例５による石鹸補給具の正面図
【符号の説明】
【００５１】
１            収容本体（筒状部材）
１ａ          開口部
２            蓋体
３            フック部
４            本体枠
５            筒状体
９，１０      保持部
１１          絞り部
１２          排出口
１４          受止め部材
ｋ            供給口
Ｓ            石鹸
Ａ            石鹸補給具
【図１】
2005168754.tif 000003
【図２】
2005168754.tif 000004
【図３】
2005168754.tif 000005
【図４】
2005168754.tif 000006
【図５】
2005168754.tif 000007
【図６】
2005168754.tif 000008
【図７】
2005168754.tif 000009